(57)【要約】  【課題】  筐体より基板を取り外すことなく電子部品の脱着が行える電子部品の取り付け装を提供する。  【解決手段】  電子機器の筐体１内に設けられた基板４に対して脱着自在な電子部品５を、基板４の電子部品取り付け部６に結束バンド７により固定する電子部品の取り付け装置であって、電子部品取り付け部６に、電子部品５を挟んで対向するよう複数のバンド挿通孔４ｂを形成すると共に、結束バンド７をほぼＵ字形に屈曲した状態で、基板４の上方より結束バンド７をバンド挿通孔４ｂへ挿入するガイド溝４ｃを形成したもので、基板４の上方よりガイド溝４ｃを経てバンド挿通孔４ｂに結束バンド７を容易に挿入することができるため、電子部品５がバッアップ電池のように定期的に交換を必要とするものであっても、筐体１より基板４を取り外すことなく電子部品５の交換が行えるようになる。【選択図】  図１
2005045030.tif 000002
【特許請求の範囲】
【請求項１】
電子機器の筐体内に設けられた基板に対して脱着自在な電子部品を、前記基板の電子部品取り付け部に結束バンドにより固定する電子部品の取り付け装置であって、前記電子部品取り付け部に、前記電子部品を挟んで対向するよう複数のバンド挿通孔を形成すると共に、前記結束バンドをほぼＵ字形に屈曲した状態で、前記基板の上方より前記結束バンドを前記バンド挿通孔へ挿入するガイド溝を形成したことを特徴とする電子部品の取り付け装置。
【請求項２】
前記電子部品取り付け部に、前記電子部品の一部が嵌合する長孔を形成し、かつ前記長孔を挟んで対向する位置に前記バンド挿通孔を形成すると共に、前記バンド挿通孔と前記長孔の間を前記ガイド溝により連通してなる請求項1に記載の電子部品の取り付け装置。
【請求項３】
前記電子部品取り付け部に、前記電子部品の両端に当接するストッパを突設し、かつ前記バンド挿通孔の間に適宜形状の孔を形成すると共に、前記バンド挿通孔と前記孔の間を前記ガイド溝により連通してなる請求項1に記載の電子部品の取り付け装置。
【発明の詳細な説明】
【技術分野】
【０００１】
本発明は基板に対して脱着が自在な電子部品の取り付け構造に関する。
【背景技術】
【０００２】
従来電子機器には、電子部品を実装した基板を筐体内に設置したものがある。
【０００３】
これら電子部品の多くは基板に半田付けされているが、例えば大型のコンデンサのような電子部品は、固定バンドを使用して基板に固定したものがある（例えば特許文献１）。
【特許文献１】実開平２−４７０８２号公報。
【０００４】
前記従来の電子部品の固定構造では、基板に固定する電子部品の外周にゴム管を嵌着し、さらにゴム管の外周を螺旋部で捲回した固定バンドにより電子部品を基板に固定した構造となっている。
【０００５】
一方電子機器に設けられたバックアップ電池のような棒状の電子部品を基板に固定する電子部品の取り付け装置としては、図７ないし図９に示すものが公知である。
【０００６】
図７ないし図９に示す従来の電子部品の取り付け装置では、基板ａの電子部品収納部に、棒状の電子部品ｂの外周部が嵌合する長孔ｃを形成し、この長孔ｃの両側に、タイラップのような結束バンドｄを挿入するための一対のバンド挿通孔ｅが穿設されている。
【０００７】
そして一方のバンド挿通孔ｅより挿入した結束バンドｄの一端を、図７に示すように基板ａの裏側より他方のバンド挿通孔ｅに挿入したら、長孔ｃに電子部品ｂを載置した状態で結束バンドｄの一端を、他端に設けられた係止部ｆへ挿入して締め付けることにより、基板ａに対して電子部品ｂを固定するように構成されており、電子部品ｂの取り付けられた基板ａは、筐体ｇ内に収容された状態で、ビス等の固着具ｈにより筐体ｇ内のボスｉに固定されている。
【発明の開示】
【発明が解決しようとする課題】
【０００８】
しかし前記特許文献１に記載された電子部品の固定構造では、基板より電子部品を取り外す場合、固定バンドを切断しなければならない上、固定バンドを切断した場合、再度電子部品を基板に固定することができないことから、電子部品がバックアップ電池のように定期的に交換をする必要があるものには適用できない等の問題がある。
【０００９】
また図７ないし図９に示す電子部品の取り付け装置では、結束バンドｄを切断して電子部品ｂを基板ａより取り外した場合でも、新たな結束バンドｄを使用することにより、電子部品ｂを基板ａに取り付けることは可能であるが、すでに筐体ｇ内に固定されている基板ａの一方のバンド挿通孔ｅより挿入した結束バンドｄの一端を、基板ａの裏側より他方のバンド挿通孔ｅに挿入する作業は困難が伴うため、従来では筐体ｇより基板ａを取り外して電子部品ｂの交換作業を行っている。
【００１０】
しかし筐体ｇより基板ａを取り外す作業は、複数の固着具ｈを脱着するため、作業に時間と手間がかかる上、基板ａに実装されたコネクタにケーブル等が接続されている場合、これらケーブル等も取り外さなければならないため、作業がさらに面倒になる等の問題がある。
【００１１】
本発明はかかる従来の問題を改善するためになされたもので、筐体より基板を取り外すことなく電子部品の脱着が行える電子部品の取り付け装置を提供することを目的とするものである。
【課題を解決するための手段】
【００１２】
前記目的を達成するため請求項１に記載の本発明の電子部品の取り付け装置は、電子機器の筐体内に設けられた基板に対して脱着自在な電子部品を、基板の電子部品取り付け部に結束バンドにより固定する電子部品の取り付け装置であって、電子部品取り付け部に、電子部品を挟んで対向するよう複数のバンド挿通孔を形成すると共に、結束バンドをほぼＵ字形に屈曲した状態で、基板の上方より結束バンドをバンド挿通孔へ挿入するガイド溝を形成したものである。
【００１３】
前記目的を達成するため請求項２記載の本発明の電子部品の取り付け装置は、電子部品取り付け部に、電子部品の一部が嵌合する長孔を形成し、かつ長孔を挟んで対向する位置にバンド挿通孔を形成すると共に、バンド挿通孔と長孔の間をガイド溝により連通したものである。
【００１４】
前記目的を達成するため請求項３記載の本発明の電子部品の取り付け装置は、電子部品取り付け部に、電子部品の両端に当接するストッパを突設し、かつバンド挿通孔の間に適宜形状の孔を形成すると共に、バンド挿通孔と孔の間をガイド溝により連通したものである。
【発明の効果】
【００１５】
請求項１記載の本発明は、電子機器の筐体内に設けられた基板の電子部品取り付け部に、電子部品を挟んで対向するよう複数のバンド挿通孔を形成すると共に、結束バンドをほぼＵ字形に屈曲した状態で、基板の上方より結束バンドをバンド挿通孔へ挿入するガイド溝を形成したことから、基板の上方よりガイド溝を経てバンド挿通孔に結束バンドを容易に挿入することができるため、電子部品が電子機器のバッアップ電池のように定期的に交換を必要とするものであっても、筐体より基板を取り外すことなく電子部品の交換が行えるようになり、これによって電子部品の交換作業が短時間で容易に行えるようになる。
【００１６】
また請求項２記載の本発明は、電子部品取り付け部に、電子部品の一部が嵌合する長孔を形成し、かつ長孔を挟んで対向する位置にバンド挿通孔を形成すると共に、バンド挿通孔と長孔の間をガイド溝により連通したことから、長孔より挿入した結束バンドの屈曲部を、ガイド溝を経てバンド挿通孔へと挿入することができるため、結束バンドの挿入作業がさらに容易になると共に、長孔により電子部品の移動が規制できることになり、結束バンドのみで電子部品の固定が確実に行えるようになる。
【００１７】
さらに請求項３記載の本発明は、電子部品取り付け部に、電子部品の両端に当接するストッパを突設し、かつバンド挿通孔の間に適宜形状の孔を形成すると共に、バンド挿通孔と孔の間をガイド溝により連通したことから、ストッパにより電子部品の移動が規制できることになり、結束バンドのみで電子部品の固定が確実に行えると共に、基板に大きい孔を明ける必要がないため、基板の剛性が損なわれることも少ない。
【発明を実施するための最良の形態】
【００１８】
以下、本発明の実施の形態を、図面を参照して詳述する。
【００１９】
（実施の形態１）
図１は基板より電子部品を取り外した状態の電子機器の斜視図、図２は電子部品を取り付けた状態の斜視図、図３は電子部品取り付け部の平面図、図４は図３のＡ−Ａ線に沿う断面図である。
【００２０】
電子機器の筐体１は、例えば上面が開口した構造で、内底面に複数のボス２が突設されており、これらボス２に螺挿したビス等の固着具３により、筐体１内に基板４が固定されている。
【００２１】
基板４は例えば図示しない電子部が実装されたプリント基板であって、バックアップ電池のように定期的に交換が必要な電子部品５の取り付け部６には、電子部品５の一部が嵌合する長孔４ａが形成されている。
【００２２】
電子部品５は、例えば円柱状となっていて、電子部品取り付け部６に装着した際、外周部の一部が長孔４ａに嵌合して、電子部品５の長手方向の移動が規制されるようになっており、長孔４ａを挟んで対向する位置に、例えば角形のバンド挿通孔４ｂが穿設されている。
【００２３】
そしてこれらバンド挿通孔４ｂにガイド溝４ｃの一端が連設されている。
【００２４】
これらガイド溝４ｃは図３に示すようにほぼＬ字形となっていて、長孔４ａを挟んで互い違いとなるように基板４に形成されており、ガイド溝４ｃの他端側は、長孔４ａにほぼ直角方向から連設されている。
【００２５】
一方基板４に電子部品５を固定する結束バンド７は、通常タイラップと呼ばれているもので、全体が樹脂により一体成形された紐状物よりなり、一端側が剣先状となっていると共に、他端側には、一端側が挿入可能な角筒状の係止部７ａが形成されている。
【００２６】
また結束する際内側となる面には、長手方向と直交する方向に鋸歯状の係止突条７ｂが形成されており、係止部７ａには、係止突条７ｂを係止する係止片（図示せず）が突設されている。
【００２７】
次に前記構成された電子部品の取り付け装置の作用を説明すると、電子機器の使用状態では、電子部品５は図２に示すように電子部品取り付け部６に装着され、バンド挿通孔４ｂに挿通された結束バンド７により結束されて基板４上に固定されている。
【００２８】
また電子部品５が、電子機器のメモリ等をバックアップするバックアップ電池の場合、定期的に交換する必要がある。
【００２９】
電子部品５の交換に当っては、まずニッパ等の工具を使用して結束バンド７を切断し、基板４より古い電子部品５を取り外す。
【００３０】
次に結束バンド７を図１に示すようにほぼＵ字形に屈曲させた状態で、屈曲部を長孔４ａに上方より挿入したら、屈曲部をガイド溝４ｃよりバンド挿通孔４ｂへ挿入する。
【００３１】
これによって結束バンド７の一端を、基板４の裏側を通過させることなくバンド挿通孔４ｂへ挿通することができるため、筐体１内より基板４を取り外す必要がない。
【００３２】
以上のようにして結束バンド７の取り付けが完了したら、長孔４ａに電子部品５の一部を嵌合した状態で、結束バンド７の一端を係止部７ａに挿入して、結束バンド７を締め付けることにより、基板４の電子部品取り付け部６に新たな電子部品５を取り付けるもので、結束バンド７の余長部分は、ニッパ等の工具で切断することによって、図２に示すように基板４に電子部品５を固定することができる。
【００３３】
（実施の形態２）
なお図５及び図６は電子部品取り付け部６の変形例を示すもので、長孔４ａを基板４に設ける代わりに、基板４上に、電子部品５の両端に当接するストッパ４ｅを突設して、電子部品５の長手方向の移動を規制してもよい。
【００３４】
この場合長孔４ａは不要になるが、ガイド溝４ｃに結束バンド７の屈曲部を挿入するため、適宜形状の孔４ｆをバンド挿通孔４ｂの間に形成する必要がある。
【００３５】
（実施の形態３）
また前記実施の形態及び変形例では、何れも長孔４ａや孔４ｆを挟んでガイド溝４ｃが互い違いになるように形成したが、勿論同じ方向、すなわち長孔４ａや孔４ｆを挟んで対称となるように形成してもよい。
【００３６】
（実施の形態４）
さらにガイド溝４ｃの形状は、Ｌ字形に限定されるものではなく、要はバンド挿通孔４ｂに結束バンド７の屈曲部が基板４の上面側より挿入できれば、その形状に限定されることはないと共に、電子部品５もバックアップ電池に限定されるものではなく、基板４に対して脱着自在な電子部品全般に適用できるものであり、その形状も円柱状以外の、例えば角柱状等であってもよい。
【産業上の利用可能性】
【００３７】
本発明にかかる電子部品の取り付け装置は、基板の上方よりガイド溝を経てバンド挿通孔に結束バンドを容易に挿入することができるため、電子部品が電子機器のバッアップ電池のように定期的に交換を必要とするものであっても、筐体より基板を取り外すことなく電子部品の交換が行えるようになり、これによって電子部品の交換作業が短時間で容易に行えるようになることから、電子部品の取り付け装置等として有用である。
【図面の簡単な説明】
【００３８】
【図１】本発明の実施の形態になる電子部品の取り付け装置を示す分解斜視図である。
【図２】本発明の実施の形態になる電子部品の取り付け装置を示す使用状態の斜視図である。
【図３】本発明の実施の形態になる電子部品の取り付け装置が設けられた電子部品取り付け部の平面図である。
【図４】図３のＡ−Ａ線に沿う断面図である。
【図５】本発明の実施の形態になる電子部品の取り付け装置の変形例を示す斜視図である。
【図６】本発明の実施の形態になる電子部品の取り付け装置の変形例になる電子部品取り付け部の平面図である。
【図７】従来の電子部品の取り付け装置を示す分解斜視図である。
【図８】従来の電子部品の取り付け装置を示す使用状態の斜視図である。
【図９】図８のＢ−Ｂ線に沿う断面図である。
【符号の説明】
【００３９】
１      筐体
４      基板
４ａ    長孔
４ｂ    バンド挿通孔
４ｃ    ガイド溝
４ｅ    ストッパ
４ｆ    孔
５      電子部品
６      電子部品取り付け部
７      結束バンド
【図１】
2005045030.tif 000003
【図２】
2005045030.tif 000004
【図３】
2005045030.tif 000005
【図４】
2005045030.tif 000006
【図５】
2005045030.tif 000007
【図６】
2005045030.tif 000008
【図７】
2005045030.tif 000009
【図８】
2005045030.tif 000010
【図９】
2005045030.tif 000011